(57)【要約】【課題】テナントが販売店の店舗に納入した商品の売上に対する商品代金を、テナントが短期間で受け取れる、商品の委託販売方法を提供する。【解決手段】販売店の店舗Ａ内のレジスター１５にテナントコードを含む売上データを蓄積し、一日分の売上データを店舗用端末１０に収集して、各店舗から同売上データを本部１の売上管理コンピュータ１１に送信する。本部１は、テナント別に売上データを集計し、販売委託手数料およびテナント管理手数料を差し引いた、テナント別の一日分の商品代金を算出する。本部１から、決済機関のホストコンピュータ１２に、テナント別の一日分の商品代金の振込依頼データを送信し、売上当日又はその翌日までに、決済機関が本部の口座から各テナントの口座に同商品代金を送金する。【選択図】図１
2008033456.tif 000002
【特許請求の範囲】
【請求項１】
テナントから販売委託を受けた商品を販売店が店舗内で販売する、商品の委託販売方法において、
テナントから販売委託を受けた商品に付属するバーコードにテナントコードを含ませ、販売店の店舗内で顧客が購入した商品のバーコードをレジスターにおいて読み取るステップと、
同レジスターにテナントコードを含む売上データを蓄積し、閉店後に各レジスターを精算して、各レジスターの売上データを販売店の店舗内に設置されたデータ収集端末に収集するステップと、
販売店の店舗内のデータ収集端末から一日分の売上データを販売店の本部に設置された売上管理コンピュータに送信し、各店舗から送信された一日分の売上データから、テナント別に売上データを集計し、販売委託手数料およびテナント管理手数料を差し引いた、テナント別の一日分の商品代金を算出するステップと、
本部の売上管理コンピュータから、決済機関に設置されたホストコンピュータに対し、テナント別に算出した一日分の商品代金を各テナントの指定する口座に振込依頼する振込依頼データを送信するステップと、
受信した振込依頼データに基づき、決済機関が販売店の本部の口座から各テナントの指定する口座に一日分の商品代金を送金するステップと、
を含むことを特徴とする、商品の委託販売方法。
【請求項２】
前記各ステップのすべてを、各テナントから販売委託を受けた商品の一日分の売上について、その売上当日又はその翌日までに、実行することを特徴とする、請求項１記載の商品の委託販売方法。
【発明の詳細な説明】
【技術分野】
【０００１】
本発明は、テナントから販売委託を受けた商品を販売店が店舗内で販売する委託販売方法に関し、特に販売委託を受けた商品の一日分の売上に伴うテナントへの商品代金の支払いを即時に行えるようにした商品の委託販売方法に関するものである。
【背景技術】
【０００２】
通常、販売店における商品売買においては、商品の注文→検品→納品→陳列→販売という流れになっており、商品代金を支払う場合、現金、小切手、手形などを用いて代金の支払いを行っている。通常、商品代金の支払い期日は３０日から１２０日となっている。例えば、仮に月１００万円の取引があり、支払い期日を３０日の条件で契約すると、ある月の商品代金はその翌月末に支払うため、商品代金を受け取るまで２００万円の資金が売掛金として発生し、この分の資金を余分に持っていないといけないことになる。
【０００３】
支払う側としても、支払手形などの買掛金が発生し、将来払わなくてはならない代金が発生する状態となる。商品を注文した側にとっては、商品が思ったように売れれば問題ないが、商品が売れない場合は、将来返さなければならない借金（買掛金）と、売れない商品（不良在庫）を抱えなくてはならないという最悪の状況となる。
【０００４】
売掛金の回収負担を軽減する技術として、特許文献１等に示す技術が開示されている。
【特許文献１】特開２００５−１４８８５０号公報
【発明の開示】
【発明が解決しようとする課題】
【０００５】
しかし、特許文献１に開示された技術は、売掛金の回収リスクを軽減する技術であって、運転資金を長期間余分に持っていなくてはならない点では、従来と同じ課題が残る。また、かかる取引上の問題は、テナントが自己の商品を販売業者に販売委託する場合にも当てはまるものである。
【０００６】
本発明は、前記課題に鑑みてなされたもので、テナントから販売委託を受けた商品を販売店が店舗内で販売する委託販売方法に関して、販売委託を受けた商品の一日分の売上に対する商品代金を、テナントが短期間で受け取ることができ、これによりテナントが運転資金を長期間余計に保有しなければならないという事態を解消できる、商品の委託販売方法を提供することを目的としている。
【課題を解決するための手段】
【０００７】
上記課題を解決するために、請求項１に係る発明は、テナントから販売委託を受けた商品を販売店が店舗内で販売する、商品の委託販売方法において、
テナントから販売委託を受けた商品に付属するバーコードにテナントコードを含ませ、販売店の店舗内で顧客が購入した商品のバーコードをレジスターにおいて読み取るステップと、
同レジスターにテナントコードを含む売上データを蓄積し、閉店後に各レジスターを精算して、各レジスターの売上データを販売店の店舗内に設置されたデータ収集端末に収集するステップと、
販売店の店舗内のデータ収集端末から一日分の売上データを販売店の本部に設置された売上管理コンピュータに送信し、各店舗から送信された一日分の売上データから、テナント別に売上データを集計し、販売委託手数料およびテナント管理手数料を差し引いた、テナント別の一日分の商品代金を算出するステップと、
本部の売上管理コンピュータから、決済機関に設置されたホストコンピュータに、テナント別に算出した一日分の商品代金を各テナントの指定する口座に振込依頼する振込依頼データを送信するステップと、
受信した振込依頼データに基づき、決済機関が販売店の本部の口座から各テナントの指定する口座に一日分の商品代金を送金するステップと、
を含むことを特徴とする。
【０００８】
請求項１に係る発明によると、テナントは、販売を委託した商品の売上に基づく商品代金を、従来の３０日から１２０日という長期の支払い期日を待つことなく、短期間で迅速に受け取ることができ、また、運転資金を長期間余分に持たなければならないという負担から開放される。これにより、テナントは、販売委託した商品が売れるほど、手元の運転資金が増えることになり、顧客が買いたいと思う商品を納入するようになり、販売店側としても顧客が欲しいと思う商品を納入するので、販売店の店舗のイメージアップ、売上アップにつながるという利点がある。ここで、テナントとは、販売店に対し商品を販売委託する業者を意味する。
【０００９】
請求項２に係る発明は、請求項１記載の商品の委託販売方法において、各ステップのすべてを、各テナントから販売委託を受けた商品の一日分の売上について、その売上当日又はその翌日までに、実行することを特徴とする。請求項２に係る発明によると、販売店の店舗内のレジスター、販売店の店舗内のデータ収集端末、本部の売上管理コンピュータ、決済機関に設置されたホストコンピュータ間で結ばれたコンピュータ通信ネットワークを通じて、テナント別の一日分の商品売上に対する商品代金を、売上当日又は翌日までに、各テナントが受け取ることができるようになる。
【発明の効果】
【００１０】
以上説明したように、本発明に係る商品の委託販売方法によると、販売店の店舗に商品を販売委託したテナントは、商品の売上に基づく商品代金を、販売店側から短期間で受け取ることができ、商品の仕入等の運転資金を長期間余分に持つ必要がなくなり、売れる商品を納入することに専念できる環境を実現できるという、優れた効果を奏する。
【発明を実施するための最良の形態】
【００１１】
以下、本発明の実施の形態を図面を参照して説明する。
【００１２】
図１は、本発明に係る商品の委託販売システムの全体構成例を示している。図１に示すように、販売店の各店舗Ａ、Ｂの事務室に設置されたパソコンからなる店舗用端末１０は、各店舗Ａ、Ｂの本部１に設置されたサーバーからなる売上管理コンピュータ１１との間で、通信ネットワーク１３により接続されている。同じく、本部１に設置された売上管理コンピュータ１１は、本部１の取引銀行２に設置されたサーバーからなるホストコンピュータ１２との間で、通信ネットワーク１３により接続されている。
【００１３】
また、各店舗A、Bの事務室に設置された店舗用端末１０は、同事務室内に設置されたバーコード発行機１４との間、各店舗内の売場に設置された複数のレジスター１５との間で、それぞれローカルエリアネットワーク（LAN）１６により接続されている。バーコード発行機１４は、店舗用端末１０からの操作により商品に貼付するラベルにバーコード情報を印字するものである。バーコード情報には、商品コード、商品区分コード、商品価格、テナントコード、部門コード、売場コードなどが含まれる。また、レジスター１５は、顧客が購入した商品のバーコードをスキャナで読み取り、商品の購入代金の精算、レシートの発行を行うとともに、売上データを内部に蓄積するようになっている。なお、バーコードの印字、レジスターの商品精算にそれぞれ必要な商品コード、テナントコード等のデータは、予め店舗用端末１０、レジスター１５に登録するようになっている。
【００１４】
各レジスター１５に蓄積された売上データは、閉店後、各店舗Ａ、Ｂの店舗用端末１０にそれぞれ転送されるようになっている。これにより、各店舗A、Bは、各レジスター１５から店舗用端末１０に転送される個々の売上データから店舗全体の売上データを集計し、売上管理、在庫管理等を行うとともに、収集した売上データから売れ筋商品や価格政策などを分析できる。
【００１５】
各店舗A、Bの店舗用端末１０に集計された各店舗全体の売上データは、直ちに、各店舗A、Bの本部１に設置された売上管理コンピュータ１１に送信されるようになっている。これにより、本部１の売上管理コンピュータ１１は、各店舗A、Bの店舗用端末１０から送信される個々の店舗売上データから、販売店全体の売上データを集計し、販売店全体の売上管理、在庫管理等を行なうことができる。また、テナント別売上データ、在庫データを集計することができる。
【００１６】
図２は、各店舗Ａ、Ｂのうち、店舗Ａのレイアウトを示している。なお、店舗Ｂのレイアウトも基本的には店舗Ａと同様である。図２に示すように、店舗Ａ内の売場中央には複数の商品陳列棚２０〜２２が設置され、売場奥方には複数の生鮮商品ケース２３〜２５が設置されている。また、店舗Ａの売場の出入口近くには複数のＰＯＳ対応のレジスター１５が設置されている。商品陳列棚２０〜２２、生鮮商品ケース２３〜２５の一部または全部には、複数のテナントが納入した委託販売商品が陳列される。ここでいう委託販売商品とは、テナントが各店舗Ａ、Ｂに自己の商品を納入して販売店側に販売を委託したものを指す。以下、委託販売商品を委託商品と略する。
【００１７】
販売店側は、テナントが各店舗Ａ、Ｂに納入した委託商品について、その販売を行う。すなわち、販売店は、ＰＯＳ対応のレジスター１５を用いて、顧客が購入した委託商品を精算し、同レジスター１５に売上データを蓄積する。一方、テナントは、店舗A、Bに納入する自己の委託商品の検品、陳列、値札貼り等の、販売以外の作業を行なう。テナントが各店舗A、Bに納入する委託商品のデータは、予め各店舗Ａ、Ｂの店舗用端末１０および本部１の売上管理コンピュータ１１に登録し、かつ、商品精算に必要な情報をＰＯＳ対応のレジスター１５に登録しておく。
【００１８】
各店舗Ａ、Ｂの閉店後、各レジスター１５を精算し、各レジスター１５に蓄積された売上データは、ローカルエリアネットワーク１６を介して事務室の店舗用端末１０に転送される。また、各レジスター１５から収集された一日分の各店舗A、Bの売上データは、その日のうちに、各店舗Ａ、Ｂの店舗用端末１０から、通信ネットワーク１３を介して本部１の商品売上コンピュータ１１に送信される。本部１の商品売上コンピュータ１１では、各店舗Ａ、Ｂから送信された一日分の店舗別売上データを集計し、店舗別、テナント別の売上明細データを出力する。テナント別の売上明細データは、各テナントに送信又は報告され、各テナントは、自己の売上明細を見て、商品の補充、値段の付け替え、商品の入れ替え等を行なう。
【００１９】
各店舗A、Bから又は販売店の本部１からは、売上当日に、一日分の各店舗Ａ、Ｂの売上代金が本部１の取引銀行２の口座に入金される。一方、本部１では、売上管理コンピュータ１１で集計されたテナント別の一日分の売上代金から、各店舗Ａ、Ｂでの販売委託手数料と、本部１におけるテナント管理手数料を差し引いた額を、各テナントに支払う商品代金として算出する。
【００２０】
本部１の売上管理コンピュータ１１から、通信ネットワーク１３を介して、自己の取引銀行２のホストコンピュータ１２に対し、テナント別の一日分の売上に対する商品代金の振込依頼データを、売上当日中に、送信する。振込依頼データには、出金元となる販売店側の本部の口座名、口座番号、振込金額、入金先となるテナントの取引銀行名、口座名、口座番号等が含まれる。振込依頼データを受信した取引銀行２のホストコンピュータ１２は、振込依頼データの明細に基づき、売上当日又はその翌日まで（土日を挟む場合には翌第１営業日となる場合もある）に、販売店の本部１の口座から各テナント３の指定する口座（他銀行の口座も含まれる）に一日分の商品代金を送金する。
【００２１】
たとえば、テナントと販売店との間の販売委託契約において、販売店の店舗Ａでの販売委託手数料を２５．０％、販売店の本部１におけるテナント管理手数料をテナントに支払われる商品代金の０．５％、同じく本部１における店舗管理手数料を販売委託手数料の０．５％として契約するものと仮定する。販売店の店舗Ａに販売委託したテナント３の委託商品の一日分の売上代金が１００万円であると仮定すると、同１００万円はいったん本部１の口座に振り込まれるが、売上当日又は翌日までに、本部１の口座から当該テナント３の口座に対し、商品代金７５万円からテナント管理手数料３千７５０円（＝７５万円×０．００５）を差し引いた金額７４万６千２５０円が振り込まれる。
【００２２】
また、前記２つの管理手数料、即ちテナント管理手数料３千７５０円および店舗管理手数料１千２５０円（販売委託手数料２５万円×０．００５）の合計５千円については、管理上、本部１の元の口座から本部１の別の口座に移動させることとし、その結果、２５万円から１千２５０円を差し引いた金額２４万８千７５０円が本部１の元の口座に残ることになる。
【００２３】
テナントが店舗Ａ、Ｂに納入した委託商品の、一日分の売上分の代金が、コンピューターネットワークを用いた本発明の委託販売システムを利用することにより、売上当日又は翌日には、テナントの口座に振り込まれるので、従来のように、商品の納入から代金の受け取りまでの期間が長くて、各テナントが運転資金を余分に持っていけないということがなくなり、テナントの運転資金の負担が大幅に軽減される。
【００２４】
テナントにとって、運転資金面での余計な心配が減ることにより、店舗を訪れる客が欲しいと思う商品を納入し、陳列することができ、また、レジスター１５の精算以外の業務（商品の補充、棚卸し、ラベル貼り、値段の付け替え等）に積極的に係わることで、商品代金の売上アップにつなげることができる。
【００２５】
販売店側にとって、テナントが、店舗に来店する客が欲しいと思う商品を納入し、陳列することにより店舗のイメージアップ、商品売上アップにつながり、テナントとの間の信頼関係を高めることができる。
【産業上の利用可能性】
【００２６】
本発明に係る商品の委託販売方法は、テナントが販売店に納入した販売委託商品の売上に対する商品代金を、テナントが短期間に受け取ることができる、委託販売方法として好適に利用可能である。
【図面の簡単な説明】
【００２７】
【図１】本発明に係る商品の委託販売方法を実現するためのシステム全体を示す概略図である。
【図２】テナントが納入した委託商品を販売する販売店の店舗内のレイアウトを示す平面図である。
【符号の説明】
【００２８】
１  販売店の本部
２  販売店の本部の取引銀行
３  テナント
１０  店舗用端末
１１  売上管理コンピュータ
１２  ホストコンピュータ
１３  通信ネットワーク
１４  バーコード発行機
１５  レジスター
１６  ローカルエリアネットワーク
２０、２１、２２  商品陳列棚
２３、２４，２５  生鮮商品ケース
Ａ、Ｂ  販売店の店舗
【図１】
2008033456.tif 000003
【図２】
2008033456.tif 000004